(57)【要約】【課題】コネクタ間隔を狭くしても、ロック解除ボタンを操作することができ、コネクタ実装スペースを削減できるロック機構付きコネクタを提供する。【解決手段】内部に相手方コネクタとのコンタクト部４を設けたコネクタ・ソケット１と、相手方コネクタに対して係合するロック機構２と、ロック機構２のロック状態を指による押圧により解除する一対のロック解除ボタン３とを備えたロック機構付きケーブル側コネクタにおいて、一対のロック解除ボタン３を、コネクタ・ソケット１の角部に対角状に設けた。【選択図】  図１
2005038774.tif 000002
【特許請求の範囲】
【請求項１】
内部に相手方コネクタとのコンタクト部を設けたコネクタ・ソケットと、前記相手方コネクタに対して係合するロック機構と、そのロック機構のロック状態を指による押圧により解除する一対のロック解除ボタンとを備えたロック機構付きケーブル側コネクタにおいて、
前記一対のロック解除ボタンを、前記コネクタ・ソケットの角部に対角状に設けたことを特徴とするロック機構付きケーブル側コネクタ。
【請求項２】
前記ロック機構に当接する前記ロック解除ボタンの先端に、当該ロック解除ボタンの操作方向を前記ロック機構の移動方向に変換する手段を設けたことを特徴とする請求項１記載のロック機構付きケーブル側コネクタ。
【発明の詳細な説明】
【技術分野】
【０００１】
本発明は、電子機器に使用するロック機構付きケーブル側コネクタに関する。
【背景技術】
【０００２】
各種の電子機器では、周辺機器等との接続のために、ケーブルが使用され、そのコネクタには、接続を確実に行うためと、不用意な脱落を防止するために、ロック機構を設けたものが多い。ロック機構は、コネクタやケーブルを引っ張ってもコネクタ同士が離脱せず、指でロック解除ボタンを押すことで解除されて引き抜くことができるものである。
従来のコネクタは、ロック解除ボタンがコネクタ側面に設けられている（例えば、特許文献１参照）。
【０００３】
図６は従来のロック機構付きコネクタの例を示す斜視図、図７はコネクタを併設した状態の側面図である。
図６および図７において、１１はコネクタ・ソケット、１２はロック機構、１３はロック解除ボタン、１４はコンタクト部、１５はケーブル、１６はプリント基板、１７はプリント基板１６上に併設された相手方コネクタである。
従来のコネクタロック機構は、コネクタ・ソケット１１に設けたロック解除ボタン１３を指Ｆ，Ｆで操作方向ｃのように操作することで、相手方コネクタ１７とのロックが解除される。
【０００４】
【特許文献１】特開２００１−２３７２７号公報（第１図）
【発明の開示】
【発明が解決しようとする課題】
【０００５】
しかしながら従来のコネクタロック機構は、ロック解除ボタン１３がコネクタ・ソケット１１の側面に設けられており、ロック解除ボタン１３を操作するには、コネクタ間隔Ｌに指Ｆ，Ｆが入らなければならない。そのため、コネクタ間隔Ｌを指Ｆの大きさより狭くできず、コネクタの実装スペースが広くなるという問題がある。
近年では、電子機器は高集積化が図られており、コネクタも密接して配置することが要望されているが、ロック機構付きのコネクタではロック解除ボタンが存在するため、一定以上のコネクタ間隔を確保する必要があり、実装密度を上げる障壁となっていた。
そこで本発明は、コネクタ間隔を狭くしても、ロック解除ボタンを操作することができ、コネクタ実装スペースを削減できるロック機構付きコネクタを提供することを目的とする。
【課題を解決するための手段】
【０００６】
前記課題を解決するため、本発明は、内部に相手方コネクタとのコンタクト部を設けたコネクタ・ソケットと、前記相手方コネクタに対して係合するロック機構と、そのロック機構のロック状態を指による押圧により解除する一対のロック解除ボタンとを備えたロック機構付きケーブル側コネクタにおいて、前記一対のロック解除ボタンを、前記コネクタ・ソケットの角部に対角状に設けたことを特徴とする。
この構成により、ロック解除ボタンは指で斜め方向から操作でき、隣接するコネクタ・ソケットがロック解除操作に邪魔にならないので、コネクタ間隔が狭い場合でも、ロック解除ボタンを操作することができ、コネクタ実装スペースを削減することができる。
【発明の効果】
【０００７】
本発明のロック機構付きコネクタによれば、コネクタ・ソケットの角部にロック解除ボタンを配置することによって、コネクタを隣接して配置しても、ロック解除ボタンを操作することができ、コネクタの実装スペースを削減することができる。
【発明を実施するための最良の形態】
【０００８】
以下、本発明の実施の形態を、図１〜図５を用いて説明する。
図１は、本発明の実施の形態に係るロック機構付きコネクタの斜視図、図２は本発明のロック機構付きコネクタの断面図、図３はその正面図である。
これらの図において、１はコネクタ・ソケット、２はロック機構、３はロック解除ボタン、４はコンタクト部、５はケーブル、６はロック機構２の回動の支点である。
【０００９】
本実施の形態においては、一対のロック解除ボタン３，３を、コネクタ・ソケット１の角部に対角状に設けている。ロック解除ボタン３は、先端がロック機構２に当接し、操作方向ａに可動である。ロック機構２は、コネクタ・ソケット１のコンタクト部４の両側に設けられており、先端にフック部２ａを備えている。ロック機構２はそれ自体が弾性を有するバネ材で形成されるか、図示しないバネにより、フック部２ａが相手方コネクタの係止部に係合するように付勢されている。ロック機構２の中途部は、支点６で回動可能に支持されている。
【００１０】
ロック解除ボタン３は、図３に示すように、操作方向ａをロック機構２の回動方向ｂに方向変換するために、Ｌ字状の切欠部３ａを設けている。したがって、ロック解除ボタン３をａ方向に指で押すと、ロック機構２の基端部がロック解除ボタン３の切欠部３ａの垂直部に当接し、その水平方向成分によりロック機構２が押圧され、支点６を支点としてｂ方向に回動するため、ロック機構２は実線の状態から破線の状態に移動する。これにより、ロック機構２の先端のフック部２ａと相手方コネクタの係止部との係合が外れ、ロックが解除される。
【００１１】
なお、本実施の形態においては、ロック機構２に当接するロック解除ボタン３の先端に、ロック解除ボタン３の操作方向ａをロック機構２の移動方向ｂに変換するＬ字状切欠部３ａを形成した例を示したが、この機構に限定されるものではなく、カム機構やレリーズワイヤ、リンク機構、てこ機構などを用いて、操作方向ａを移動方向ｂに変換することができる。
【００１２】
図４は本発明の第１実装例を示すもので、（ａ）は正面図、（ｂ）は側面図である。
この第１実装例においては、１枚のプリント基板７の端部に相手方コネクタ８を隣接して並置し、これらの相手方コネクタ８に本発明のコネクタ・ソケット１を接続している。本発明では、ロック解除ボタン３がコネクタ・ソケット１の角部に対角状に設けられているため、コネクタ間隔が接近していても、隣接するロック解除ボタン３の操作方向ａが重ならない。このため、相手方コネクタ８を隣接して配置した場合でも、ロック解除ボタン３は、操作方向ａに操作することができる。
【００１３】
図５は本発明の第２実装例を示すものである。この例では、複数のプリント基板７を並べて設置する場合を示している。この場合、コネクタ・ソケット１の上下に指を入れる充分なスペースがなくても、斜め方向から操作することができるため、省スペースとすることができる。
【産業上の利用可能性】
【００１４】
本発明は、電子機器の高集積化に伴う省スペースのロック機構付きケーブル側コネクタとして有効に利用することができる。
【図面の簡単な説明】
【００１５】
【図１】本発明の実施例に係るロック機構付きコネクタの斜視図である。
【図２】本発明の実施例に係るロック機構の動作を示す水平断面図である。
【図３】本発明の実施例に係るロック機構の動作を示す縦断面図である。
【図４】本発明の第１実装例を示す正面図および側面図である。
【図５】本発明の第２実装例を示す側面図である。
【図６】従来のロック機構付きコネクタの斜視図である。
【図７】従来例の操作方法を示す側面図である。
【符号の説明】
【００１６】
１  コネクタ・ソケット
２  ロック機構
２ａ  フック部
３  ロック解除ボタン
３ａ  切欠部
４  コンタクト部
５  ケーブル
６  支点
７  プリント基板
８  相手方コネクタ
【図１】
2005038774.tif 000003
【図２】
2005038774.tif 000004
【図３】
2005038774.tif 000005
【図４】
2005038774.tif 000006
【図５】
2005038774.tif 000007
【図６】
2005038774.tif 000008
【図７】
2005038774.tif 000009